(57)【要約】【課題】すすぎ水タンク内が負圧となることを未然に回避することができ、安定してすすぎポンプを運転することができる洗浄機を提供する。【解決手段】本体１内に構成された洗浄室２内において洗浄水を噴射して洗浄する洗浄ノズル２０、２２と、すすぎ水を噴射してすすぎを行うすすぎノズル２１、２３と、洗浄室２内下方にて開口し、洗浄水を貯溜すると共に、洗浄ノズル及びすすぎノズルから噴射された洗浄水等を受容する洗浄タンク９と、すすぎ水を貯溜するすすぎタンク２５と、洗浄タンク９内の洗浄水を洗浄ノズルに送給する洗浄ポンプ２７と、すすぎタンク２５内のすすぎ水をすすぎノズルに送給するすすぎポンプ２９と、洗浄タンク９内の洗浄水を強制的に排出する排水ポンプ４２とを備えた洗浄機ＤＷにおいて、すすぎタンク２５内と洗浄室２内とを連通するエア抜きパイプ３０を備えた。【選択図】      図１
2004298346.tif 000002
【特許請求の範囲】
【請求項１】
本体内に構成された洗浄室内において洗浄水を食器などの被洗浄物に噴射して洗浄する洗浄ノズルと、前記洗浄室内においてすすぎ水を前記被洗浄物に噴射してすすぎを行うすすぎノズルと、前記洗浄室内下方にて開口し、前記洗浄水を貯溜すると共に、前記洗浄ノズルから噴射された洗浄水及び前記すすぎノズルから噴射されたすすぎ水を受容する洗浄タンクと、前記すすぎ水を貯溜するすすぎタンクと、前記洗浄タンク内の洗浄水を前記洗浄ノズルに送給する洗浄ポンプと、前記すすぎタンク内のすすぎ水を前記すすぎノズルに送給するすすぎポンプと、前記洗浄タンク内の洗浄水を強制的に排出する排水手段とを備えた洗浄機において、
前記すすぎタンク内と前記洗浄室内とを連通するエア抜きパイプを備えたことを特徴とする洗浄機。
【請求項２】
前記エア抜きパイプは、前記すすぎタンクに設けられた連結部材に着脱自在に接続されることを特徴とする請求項１の洗浄機。
【請求項３】
前記エア抜きパイプは前記洗浄室内の壁面に沿って配設されることを特徴とする請求項１又は請求項２の洗浄機。
【請求項４】
本体内に構成された洗浄室内において洗浄水を食器などの被洗浄物に噴射して洗浄する洗浄ノズルと、前記洗浄室内においてすすぎ水を前記被洗浄物に噴射してすすぎを行うすすぎノズルと、前記洗浄室内下方にて開口し、前記洗浄水を貯溜すると共に、前記洗浄ノズルから噴射された洗浄水及び前記すすぎノズルから噴射されたすすぎ水を受容する洗浄タンクと、前記すすぎ水を貯溜するすすぎタンクと、前記洗浄タンク内の洗浄水を前記洗浄ノズルに送給する洗浄ポンプと、前記すすぎタンク内のすすぎ水を前記すすぎノズルに送給するすすぎポンプと、前記洗浄タンク内の洗浄水を強制的に排出する排水手段とを備えた洗浄機において、
前記洗浄タンク内の洗浄水の溢出を防止するための溢れ防止センサを備えたことを特徴とする洗浄機。
【請求項５】
前記溢れ防止センサは前記本体外面に設けられ、連結パイプを介して前記洗浄タンクの背面に連通されると共に、当該溢れ防止センサを被覆する開閉可能なセンサカバー部材を備えたことを特徴とする請求項４の洗浄機。
【請求項６】
前記連結パイプは、前記洗浄タンクの基準水位よりも高い位置にて開口することを特徴とする請求項５の洗浄機。
【請求項７】
前記連結パイプの洗浄タンク側の開口を覆う連結パイプカバー部材を備えたことを特徴とする請求項４、請求項５又は請求項６の洗浄機。
【請求項８】
本体内に構成された洗浄室内において洗浄水を食器などの被洗浄物に噴射して洗浄する洗浄ノズルと、前記洗浄室内においてすすぎ水を前記被洗浄物に噴射してすすぎを行うすすぎノズルと、前記洗浄室内下方にて開口し、前記洗浄水を貯溜すると共に、前記洗浄ノズルから噴射された洗浄水及び前記すすぎノズルから噴射されたすすぎ水を受容する洗浄タンクと、前記すすぎ水を貯溜するすすぎタンクと、前記洗浄タンク内の洗浄水を前記洗浄ノズルに送給する洗浄ポンプと、前記すすぎタンク内のすすぎ水を前記すすぎノズルに送給するすすぎポンプと、前記洗浄タンク内の洗浄水を強制的に排出する排水手段とを備えた洗浄機において、
前記排水手段は、前記洗浄タンク底面の排水口に連通した排水ポンプと、前記排水口を塞ぐように着脱自在に立設され、上下に開口したドレンパイプと、前記洗浄タンク底面に載置され、前記ドレンパイプ周囲を囲繞する排水フィルタとを備え、
前記ドレンパイプと前記排水フィルタは一体化されて排水ポンプフィルタセットを構成し、且つ、前記ドレンパイプは前記排水フィルタに対して上下移動可能とされると共に、上方に移動した状態で、前記ドレンパイプと前記排水口間に間隔を形成することを特徴とする洗浄機。
【請求項９】
前記排水ポンプフィルタセットは、前記洗浄タンクの上縁に形成された係合爪に着脱自在に固定されることを特徴とする請求項８の洗浄機。
【請求項１０】
前記排水フィルタの下端には、切欠が形成されることを特徴とする請求項８又は請求項９の洗浄機。
【請求項１１】
前記排水手段は、外部に引き出される排水ホースを備え、当該排水ホースは、前記本体を構成するアングル部材に固定具にて固定されることを特徴とする請求項１、請求項２、請求項３、請求項４、請求項５、請求項６、請求項７、請求項８、請求項９又は請求項１０の洗浄機。
【発明の詳細な説明】
【０００１】
【発明の属する技術分野】
本発明は、本体内に構成された洗浄室内において、食器などの被洗浄物の洗浄とすすぎを行う洗浄機に関するものであり、特に、洗浄タンクに貯溜された洗浄水やすすぎ水などを強制的に排水する排水機構を備えた洗浄機に関するものである。
【０００２】
【従来の技術】
従来よりホテルやレストラン、食堂の厨房などに設置される食器洗浄機は、洗浄室内の上下に洗浄ノズルとすすぎノズルを配置し、洗浄工程においては、洗浄ポンプにより洗浄タンク内に貯溜した洗浄水を洗浄ノズルに給送して洗浄室内に収納した食器に噴射し、食器に付着した汚れを洗浄すると共に、その後のすすぎ工程ではすすぎ水を貯溜するすすぎタンクからすすぎポンプによりすすぎ水をすすぎノズルに給送し、噴射することによって、食器に付着した洗浄水をすすぎ方式が採用されている。
【０００３】
また、洗浄タンクの上面は洗浄室内に開口しており、洗浄ノズルより噴射された洗浄水は洗浄タンクに回収され、繰り返し使用されるが、すすぎ水も洗浄タンクに流入するため、この流入した分の水は、当該洗浄タンクに設けられるオーバーフローパイプ内に流入し、パイプを通って排水ホースに至り、外部に廃棄されるものであった（特許文献１参照）。
【０００４】
しかしながら、従来の洗浄機では、洗浄タンク内の洗浄水は、オーバーフロー管に流入した水が自重により排水ホースを介して外部に廃棄されるものであったため、設置床面に排水設備を備えている場合でなければ、洗浄タンク内の洗浄水を円滑に排水することができないという問題があった。そのため、小規模の飲食店などの店舗設備では、シンクは設けられているが、床面に排水設備が設けられていない場合が多く、当該店舗には、係る洗浄機を設置することができないという問題があった。
【０００５】
そこで、洗浄タンク内の洗浄水を排水ポンプなどの排水手段により、強制的に外部に排出する機能を備えた洗浄機が開発されている。かかる洗浄機では、洗浄タンクに設けられたドレンパイプに排水ポンプが接続され、排水ホースを介してシンクなどに洗浄タンク内の洗浄水を導く構成とされている。
【０００６】
【特許文献１】
特開平１１−１９７０８５号公報
【０００７】
【発明が解決しようとする課題】
従来の洗浄機では、すすぎタンク内のすすぎ水は、外部から給水電磁弁を介してすすぎタンク内に供給され、制御手段によりすすぎ運転等が実行された場合に、すすぎポンプを運転し、すすぎノズルから洗浄室内にすすぎ水を噴射するものであった。そのため、給水電磁弁が閉鎖され、すすぎポンプが運転停止の状態では、すすぎタンク内は密閉状態となり、この状態からすすぎポンプが運転開始されると、場合によってはすすぎタンク内が負圧となる。そのため、すすぎポンプは、負圧運転となることから、安定した運転を実行することができないという問題がある。
【０００８】
また、給水電磁弁に故障が発生し、当該電磁弁が開放状態のまま閉鎖しない場合には、すすぎ水がすすぎタンク内に過剰に送給されることとなる。この場合、停止状態のすすぎポンプに過剰な圧力が加わり、当該ポンプが損傷する問題があった。
【０００９】
そこで、本発明は従来の技術的な課題を解決するために成されたものであり、すすぎ水タンク内が負圧となることを未然に回避することができ、安定してすすぎポンプを運転することができる洗浄機を提供することを目的とする。
【００１０】
【課題を解決するための手段】
本発明の洗浄機は、本体内に構成された洗浄室内において洗浄水を食器などの被洗浄物に噴射して洗浄する洗浄ノズルと、洗浄室内においてすすぎ水を被洗浄物に噴射してすすぎを行うすすぎノズルと、洗浄室内下方にて開口し、洗浄水を貯溜すると共に、洗浄ノズルから噴射された洗浄水及びすすぎノズルから噴射されたすすぎ水を受容する洗浄タンクと、すすぎ水を貯溜するすすぎタンクと、洗浄タンク内の洗浄水を洗浄ノズルに送給する洗浄ポンプと、すすぎタンク内のすすぎ水をすすぎノズルに送給するすすぎポンプと、洗浄タンク内の洗浄水を強制的に排出する排水手段とを備えたものであって、すすぎタンク内と洗浄室内とを連通するエア抜きパイプを備えたので、すすぎタンク内が負圧となることを防止することができ、これにより、すすぎポンプを安定して運転することができるようになる。また、すすぎタンクへの給水を制御する電磁弁等が故障した場合であっても、すすぎタンク内の水を当該エア抜きパイプを介して洗浄室に送給することが可能となる。
【００１１】
請求項２の発明の洗浄機は、上記において、エア抜きパイプは、すすぎタンクに設けられた連結部材に着脱自在に接続されるので、すすぎタンク及び洗浄室の構成を簡素化することができると共に、すすぎタンクのメンテナンスを容易に行うことができるようになる。
【００１２】
請求項３の発明の洗浄機は、上記各発明において、エア抜きパイプは洗浄室内の壁面に沿って配設されるので、洗浄ノズルが作動している際に、すすぎタンク内に洗浄水が浸入し、すすぎタンク内のすすぎ水を汚染することを回避することができるようになる。
【００１３】
請求項４の発明の洗浄機は、本体内に構成された洗浄室内において洗浄水を食器などの被洗浄物に噴射して洗浄する洗浄ノズルと、洗浄室内においてすすぎ水を被洗浄物に噴射してすすぎを行うすすぎノズルと、洗浄室内下方にて開口し、洗浄水を貯溜すると共に、洗浄ノズルから噴射された洗浄水及びすすぎノズルから噴射されたすすぎ水を受容する洗浄タンクと、すすぎ水を貯溜するすすぎタンクと、洗浄タンク内の洗浄水を洗浄ノズルに送給する洗浄ポンプと、すすぎタンク内のすすぎ水をすすぎノズルに送給するすすぎポンプと、洗浄タンク内の洗浄水を強制的に排出する排水手段とを備えたものであって、洗浄タンク内の洗浄水の溢出を防止するための溢れ防止センサを備えたので、洗浄タンク内の洗浄水が外部に溢出することを効果的に防止することができるようになる。これにより、好適に洗浄機を使用することができるようになり、使用性が向上する。
【００１４】
請求項５の発明の洗浄機は、上記において、溢れ防止センサは本体外面に設けられ、連結パイプを介して洗浄タンクの背面に連通されると共に、当該溢れ防止センサを被覆する開閉可能なセンサカバー部材を備えたので、溢れ防止センサが剥き出しとなる不都合を回避でき、特に、設置時における当該センサの配線の損傷を抑制することができるようになる。
【００１５】
また、センサカバー部材は、開閉可能に設けられているため、容易に溢れ防止センサのメンテナンスを行うことができるようになる。
【００１６】
請求項６の発明の洗浄機は、上記において、連結パイプは、洗浄タンクの基準水位よりも高い位置にて開口するので、洗浄水が基準水位である場合に、連結パイプ内に洗浄水が浸入しないため、溢れ防止センサに洗浄水が浸入しないこととなる。そのため、当該洗浄水による汚れの堆積を緩和することができ、溢れ防止センサが早期に故障することを未然に回避することができるようになる。
【００１７】
請求項７の発明の洗浄機は、請求項４、請求項５又は請求項６の発明において、連結パイプの洗浄タンク側の開口を覆う連結パイプカバー部材を備えたので、連結パイプ内に洗浄水内の汚物等が侵入することを抑制することができ、より一層、溢れ防止センサの故障を抑制することができると共に、正常に機能させることができるようになる。
【００１８】
請求項８の発明の洗浄機は、本体内に構成された洗浄室内において洗浄水を食器などの被洗浄物に噴射して洗浄する洗浄ノズルと、洗浄室内においてすすぎ水を被洗浄物に噴射してすすぎを行うすすぎノズルと、洗浄室内下方にて開口し、洗浄水を貯溜すると共に、洗浄ノズルから噴射された洗浄水及びすすぎノズルから噴射されたすすぎ水を受容する洗浄タンクと、すすぎ水を貯溜するすすぎタンクと、洗浄タンク内の洗浄水を洗浄ノズルに送給する洗浄ポンプと、すすぎタンク内のすすぎ水をすすぎノズルに送給するすすぎポンプと、洗浄タンク内の洗浄水を強制的に排出する排水手段とを備えたものであって、排水手段は、洗浄タンク底面の排水口に連通した排水ポンプと、排水口を塞ぐように着脱自在に立設され、上下に開口したドレンパイプと、洗浄タンク底面に載置され、ドレンパイプ周囲を囲繞する排水フィルタとを備え、ドレンパイプと排水フィルタは一体化されて排水ポンプフィルタセットを構成するため、当該排水ポンプフィルタセットを洗浄タンクの排水口に設置することで、容易にドレンパイプと排水フィルタを取り付けることができるようになる。
【００１９】
また、排水ポンプフィルタセットは、ドレンパイプが排水フィルタに対して上下移動可能とされると共に、上方に移動した状態で、ドレンパイプと排水口間に間隔を形成するので、容易に洗浄タンク内の全ての洗浄水を容易に排水することができるようになる。このとき、ドレンパイプと排水口との間には、排水フィルタが設けられているため、洗浄水中の汚物を排水フィルタにて捕獲することができ、排水口の詰まりを抑制することができるようになる。
【００２０】
請求項９の発明の洗浄機は、上記において、排水ポンプフィルタセットは、洗浄タンクの上縁に形成された係合爪に着脱自在に固定されるので、排水ポンプフィルタセットを係合爪に固定することにより、容易に当該排水ポンプフィルタセットの位置決めを行うことができる。これにより、取付作業を効率的に行うことができるようになる。
【００２１】
また、排水ポンプフィルタセットは、着脱自在に固定されることから、容易に取り外し、汚れに応じて掃除等のメンテナンスを行うことができるようになる。
【００２２】
請求項１０の発明の洗浄機は、請求項８又は請求項９の発明において、排水フィルタの下端には、切欠が形成されるので、洗浄タンク内底面の洗浄水をも排水することができるようになる。
【００２３】
請求項１１の発明の洗浄機は、上記各発明において、排水手段は、外部に引き出される排水ホースを備え、当該排水ホースは、本体を構成するアングル部材に固定具にて固定されるので、排水時における排水ホースの上下動を規制することができ、排水ポンプにより安定して洗浄タンク内の洗浄水の排水を実行することができるようになる。
【００２４】
【発明の実施の形態】
次に、図面に基づき本発明の実施形態を詳述する。図１は本発明の食器洗浄機ＤＷの正面図、図２は食器洗浄機ＤＷの一部透視側面図、図３は食器洗浄機ＤＷの縦断側面図、図４は食器洗浄機ＤＷの平面図を示している。本発明の食器洗浄機ＤＷは、洗浄タンク９内の洗浄水の排水を排水ポンプ４２によって強制的に行い、図示しないシンクに排水可能とする自動食器洗浄機であり、例えば喫茶店などの小規模の飲食店などの厨房に設置されるのに好適なものである。
【００２５】
この食器洗浄機ＤＷは、前方に開口するステンレス製の内箱３内に洗浄室２が構成され、この内箱３の下方には、機械室４が構成されている。尚、この内箱３の前端両側には上下に延在する図示しないアングル材が取り付けられ、機械室４まで渡っており、内箱３の天板上方には間隔を存してステンレス製の天壁としてのトップテーブル（作業台）７が設けられる。また、内箱３の背面及び左右側面には、外装パネル８が取り付けられている。この左右の外装パネル８の前端は、前記アングル材の外縁につながり、下部は、機械室４の左右に位置している。また、背方の外装パネル８も機械室４の後方に位置すると共に、これら外装パネル８の上端が前記トップテーブル７の外縁に繋がる構成とされ、内箱３を含めたこれら部材によって食器洗浄機ＤＷの本体１が構成されている。
【００２６】
内箱３の前面開口には、ステンレス製の扉１６が前方に回動自在に取り付けられており、これにより、内箱３の前面開口は、開閉自在に閉塞される。機械室４の前面には、前面パネル１７が着脱自在に取り付けられており、機械室４内を容易にメンテナンスができる構成としている。
【００２７】
尚、扉１６の上縁部に対応する位置の外装パネル８縁部には、当該扉１６の開閉状態を検知するためのドアスイッチ１８（図９のみ図示する。）が設けられている。また、本体１の前面には、コントロールパネル５が設けられており、当該コントロールパネル５には、電源スイッチ６、スタートスイッチ１１、温度表示部１２などが設けられている。また、本実施例では、本体１の前面であって、コントロールパネル５の側方には、詳細は後述する排水手順を示すラベル１３が貼付されている。
【００２８】
洗浄室２の底面となる内箱３の底板３Ａは、前端から少許後方に略水平に形成された後、機械室４側に低く形成されており、上面に開口する洗浄タンク９に連続している。即ち、この洗浄タンク９は洗浄室２の底部において上面が開口している。尚、洗浄タンク９は底板３Ａと別体であって連続するように接続されていても、底板３Ａと一体に構成されるものであっても良いものとする。
【００２９】
そして、洗浄タンク９の上縁には、フィルタ１０が着脱自在に設けられ、当該フィルタ１０によって、洗浄室２と洗浄タンク９とが区画される。尚、この洗浄タンクは、後述するすすぎタンク２５に比較して容量が大きく形成されている。
【００３０】
係る洗浄室２の上部には図３に示す如く洗浄水を下向きに噴射する複数の洗浄ノズル口２０Ａ・・を有する上洗浄ノズル２０が回転可能に配設されると共に、この上洗浄ノズル２０の若干下位には上洗浄ノズル２０と同心上で回転する上すすぎノズル２１が配設されている。この上すすぎノズル２１はすすぎ水を下向きに噴射する複数のすすぎノズル口２１Ａ・・を有している。
【００３１】
また、洗浄室２の下部には洗浄水を上向きに噴射する複数の洗浄ノズル口２２Ａ・・を有する下洗浄ノズル２２が回転可能に配設され、この下洗浄ノズル２２の若干上位にはすすぎ水を上向きに噴射する複数のすすぎノズル口２３Ａ・・を有する下すすぎノズル２３が下洗浄ノズル２２と同心上で回転可能に配設されている。
【００３２】
他方、上下洗浄ノズル２０、２２と洗浄タンク９の間には、洗浄タンク９に貯溜される洗剤が混入した＋６０℃程の洗浄水を、洗浄配管２６を介して上下洗浄ノズル２０、２２に循環するための洗浄ポンプ２７が配設されている。尚、この洗浄ポンプ２７は、洗浄タンク９の下側に位置する機械室４内に配設されるものとする。また、機械室４内には、洗浄タンク９の下方に位置して当該洗浄タンク９内の洗浄水を外部に強制的に排出するための排水機構（詳細は後述する。）の一部を構成する排水ポンプ４２が配設されていると共に、＋８０℃程の高温のすすぎ水を貯溜するためのすすぎタンク２５が並設されている。
【００３３】
このすすぎタンク２５は前記洗浄タンク９に比較して小さい容量のものであり、このすすぎタンク２５には瞬間湯沸器等から成る図示しない給湯装置から配管及び電磁開放弁を介して前記すすぎ水が供給（給湯）される。また、すすぎタンク２５と上下すすぎノズル２１、２３の間には、すすぎ配管２８が接続される。このすすぎ配管２８には、上下すすぎノズル２１、２３に、すすぎタンク２５に貯溜するすすぎ水を、給送するためのすすぎポンプ２９が配設されている。
【００３４】
尚、本実施例において、すすぎタンク２５の上部には、図１に示す如くエア抜き口３１が形成されており、このエア抜き口３１には、例えばゴム配管により構成される連結部材３２が着脱自在に取り付けられ、当該連結部材３２を介してエア抜きパイプ３０が機械室４外に引き出される。尚、図１では、エア抜きパイプ３０の構成を簡素化して示すため、外装パネル８の外方にまで引き出されているが、図４に示す如く内箱３と外装パネル８の間に引き出されているものとする。そして、このエア抜きパイプ３０は、本体１側面に沿って上昇して設けられると共に、当該エア抜きパイプ３０の上端３０Ａは、洗浄室２上部に位置して、洗浄室２側に折曲される。更に、このエア抜きパイプ３０の上端３０Ａは、図４に示す如く洗浄室２内の壁面に沿って配設されるものとする。
【００３５】
これにより、エア抜きパイプ３０を介してすすぎタンク２５内と洗浄室２内とを連通させることができ、従来、問題とされていたすすぎタンク２５内が負圧となる不都合を回避することができるようになる。これにより、安定してすすぎポンプ２９を運転することができるようになる。また、上述したすすぎタンク２５にすすぎ水を供給する電磁開閉弁が故障した場合であっても、運転が停止されたすすぎポンプ２９に負荷を加えることなく、すすぎタンク２５内に供給されたすすぎ水をエア抜きパイプ３０を介して洗浄室２内に送給することができるようになる。
【００３６】
本実施例におけるエア抜きパイプ３０は、連結部材３２を介してすすぎタンク２５に着脱自在に設けられることから、すすぎタンク２５及び洗浄室２の構成を簡素化することができる。また、すすぎタンク２５のメンテナンスを行う際には、エア抜き口３１から連結部材３２を取り外し、前面パネル１７を開放することにより、すすぎタンク２５を前方に引き出すことができ、容易にメンテナンスを行うことができるようになる。
【００３７】
更に、本実施例におけるエア抜きパイプ３０は、上述した如く洗浄室２内に位置するエア抜きパイプ３０の上端３０Ａは、洗浄室２内の壁面に沿って配設されるので、上記上洗浄ノズル２０が作動している際に、当該エア抜きパイプ３０を介して、すすぎタンク２５内に洗浄水が浸入し、すすぎタンク２５内のすすぎ水を汚染する不都合を回避することができるようになる。
【００３８】
他方、前記洗浄タンク９の背面に位置する外装パネル８の外面には、洗浄タンク９内の洗浄水の溢出を防止するための溢れ防止センサ３５が設けられる。この溢れ防止センサ３５は所謂フロートスイッチにより構成され、洗浄タンク９の基準水位よりも少許高い位置にて開口する連結パイプ３６を介して洗浄タンク９の背面と接続されている。従って、溢れ防止センサ３５は、基準水位よりも少許高い位置において洗浄タンク９と連通する。
【００３９】
これにより、洗浄タンク９内の水位が上昇した際には、洗浄タンク９内の洗浄水が連結パイプ３６を介して溢れ防止センサ３５内に流入することにより、容易に洗浄タンク９内の洗浄水が基準水位よりも高い水位となったことを検知することができるようになる。尚、連結パイプ３６は、洗浄タンク９内の洗浄水の基準水位よりも少許高い位置に開口するように取り付けられていることから、洗浄水が基準水位である場合に、連結パイプ３６内に洗浄水が浸入しないこととなり、溢れ防止センサ３５にも洗浄水が浸入しないこととなる。そのため、連結パイプ３６や溢れ防止センサ３５の洗浄水による汚れの堆積を緩和することができ、当該溢れ防止センサ３５が早期に故障することを未然に回避することができるようになる。
【００４０】
また、本実施例において、連結パイプ３６の洗浄タンク９側の開口付近には、当該連結パイプ３０の開口を覆う連結パイプカバー部材３８が設けられている。そのため、洗浄タンク９内の洗浄水中に汚物が含有されている場合であっても、当該連結パイプカバー部材３８により、連結パイプ３０内に洗浄水内の汚物等が侵入することを抑制することができ、溢れ防止センサ３５の故障を抑制することができる。これにより、当該溢れ防止センサ３５を正常に機能させることができるようになる。
【００４１】
また、この溢れ防止センサ３５には、図２に示す如く当該溢れ防止センサ３５を被覆するセンサカバー部材３９が着脱自在に取り付けられる。このセンサカバー部材３９の斜視図を図５に示す。このセンサカバー部材３９は、例えば硬質合成樹脂などにより構成されており、洗浄タンク９側が開口した断面略コ字状を呈している。そして、この両側端は上下に渡って内方に延出したフランジ部３９Ａが形成されていると共に、当該フランジ部３９Ａには、上下に延在すると共に、洗浄タンク９側に突出するように断面略クランク状のレール３９Ｂが取り付けられている。尚、当該レール３９Ｂ、３９Ｂ間は、溢れ防止センサ３５の横寸法に対し、略きっちり保持可能とする幅となるように設けられているものとする。
【００４２】
これにより、当該センサカバー部材３９のレール３９Ｂ、３９Ｂを、本体１背面に取り付けられた溢れ防止センサ３５の両側面の上端又は下端に宛い、上下に摺動させることにより、センサカバー部材３９を溢れ防止センサ３５に着脱自在に取り付けることができるようになる。
【００４３】
そのため、溢れ防止センサ３５が剥き出しの状態となる不都合を回避することができ、特に設置時における当該センサ３５の配線の損傷を抑制することができるようになる。また、センサカバー部材３９は、溢れ防止センサ３５に対し、開閉可能に取り付けられることから、容易に溢れ防止センサ３５のメンテナンスを行うことができ、利便性が向上する。
【００４４】
尚、本実施例では、センサカバー部材３９のレール３９Ｂ、３９Ｂを溢れ防止センサ３５の横寸法に対し、略きっちり保持可能とする幅となるように構成すると共に、センサ３５に対し、上下に摺動自在に取り付ける構成とされているが、これ以外に、センサカバー部材３９のレール３９Ｂ、３９Ｂを溢れ防止センサ３５の縦寸法に対し、略きっちり保持可能とする幅となるように構成し、センサ３５に対し、左右に摺動自在に取り付けても良いものとする。かかる場合には、当該センサ３５に連結される連結パイプ３６をも保護することができるようになる。
【００４５】
次に、上述した如き洗浄タンク９の洗浄水の排水機構（排水手段）について図２及び図６乃至図８を参照して説明する。図６は排水ポンプフィルタセット４５を洗浄タンク９に取り付けた状態の断面図、図７は排水ポンプフィルタセット４５を洗浄タンク９から脱着する状態の断面図、図８は全排水時における排水ポンプフィルタセット４５の断面図を示している。
【００４６】
前記洗浄タンク９の底面９Ｂには、排水口４３が形成されており、この排水口４３には、下方に突出した排水接続部４４が取り付けられている。そして、この排水接続部４４には、図示しない配管を介して前記排水ポンプ４２が接続される。この排水ポンプ４２の出口側には、図２に示す如く排水ホース４６が接続され、当該排水ホース４６は、外部、例えば、当該食器洗浄機ＤＷが設置される厨房のシンクなどにまで引き出されている。
【００４７】
尚、この排水ホース４６は、排水ポンプ４２の運転により上下や左右などに動き、トラップを形成することを抑制するため、機械室４を構成する前記アングル材に固定具４７により固定されている。これにより、排水ポンプ４２により安定して洗浄タンク９内の洗浄水の排水を実行することができるようになる。ここで、本実施例では、排水ホース４６を固定する固定具４７は、アングル材のみに用いられているが、これ以外にも、本体１の背面や排水ポンプ４２の収納部分などに設けても良いものとする。
【００４８】
一方、洗浄タンク９の底面に形成された排水口４３には、上下に開口したドレンパイプ５０が、同じく上下に開口したドレンパイプ保持具５１を介して当該排水口４３を塞ぐように着脱自在に立設される。
【００４９】
他方、排水口４３の上方に位置する洗浄タンク９の上面９Ａには、開口９Ｃが形成され、当該開口９Ｃの近傍には、鏃状の係合爪９Ｄが形成されている。そして、この上面９Ａの上方から開口９Ｃを閉塞するようにドレン取付板５２が載置される。このドレン取付板５２にも、ドレンパイプ挿入口が形成されていると共に、前記洗浄タンク９の係合爪９Ｄに対応する位置には、該係合爪９Ｄと着脱自在に係止される係合孔５２Ａが形成されている。
【００５０】
一方、ドレンパイプ５０の上端には、ドレンパイプ５０の上面開口と洗浄タンク９とを連通可能とする構成、本実施例では、複数の棒状部材により構成される係合部材５４が着脱自在に取り付けられる。この係合部材５４の下端には、前記ドレン取付板５２に形成されたドレンパイプ挿入口よりも外方にまで延出したフランジ部５４Ａが形成されている。
【００５１】
この状態で、ドレンパイプ５０の上端をドレン取付板５２の下方からドレンパイプ挿入口に挿入した後、ドレン取付板５２の上方から係合部材５４の上端に排水調整具５３を取り付ける。本実施例において排水調整具５３は、立方体又は長方体により構成されていると共に、この排水調整具５３の前面及び後面、若しくは、左右側面に位置するドレン取付板５２には、当該排水調整具５３を上方に引き上げ、例えば略９０°回転させた後、当該排水調整具５３の角隅部を支持する排水調整具支持部材５５が設けられているものとする。
【００５２】
また、ドレンパイプ５０及びドレンパイプ保持具５１には、これらドレンパイプ５０及びドレンパイプ保持具５１の周囲を囲繞するように、洗浄タンク９の底面９Ｂから上面９Ａの高さ寸法と略同一寸法の排水フィルタ５７が設けられる。そして、これらドレンパイプ５０とドレンパイプ保持具５１と、ドレン取付板５２と、排水調整具５３と、排水フィルタ５７とにより排水ポンプフィルタセット４５が構成される。
【００５３】
そして、この排水ポンプフィルタセット４５のドレンパイプ５０を、洗浄タンク９の上面９Ａに形成された開口９Ｃに挿入し、ドレンパイプ保持具５１の下端を洗浄タンク９の底面９Ｂに形成された排水口４３に挿入し、ドレン取付板５２に形成された係合孔５２Ａを洗浄タンク９の上面９Ａに形成された係合爪９Ｄに係合させることにより、排水ポンプフィルタセット４５が洗浄タンク９に設置されることとなる。このとき、係合部材５４は、ドレンパイプ５０の上面開口が洗浄タンク９の洗浄水の基準水位と面一となるようにドレンパイプ５０を保持しているものとする。
【００５４】
以上の構成により、ドレンパイプ５０と排水フィルタ５７とが一体化されて排水ポンプフィルタセット４５を構成するため、かかる排水ポンプフィルタセット４５を洗浄タンク９の排水口４３に設置することで、容易にドレンパイプ５０と排水フィルタ５７を排水口４３に取り付けることができるようになる。
【００５５】
ここで、洗浄タンク９の洗浄水面を所定水位に規制する位置にて、ドレンパイプ５０の上端が開口していることから、図６に矢印にて示す如く当該所定水位を超える洗浄水は、排水フィルタ５７を介してドレンパイプ５０内に浸入し、排水口４３を介して排水ポンプ４２に送出することができる。
【００５６】
また、排水フィルタ５７は、排水ポンプフィルタセット４５が洗浄タンク９に取り付けられた状態で、洗浄タンク９の底面９Ｂと上面９Ａとに挟持されるため、排水調整具５３を上方に引き上げた際には、ドレンパイプ５０と、ドレンパイプ保持具５１と係合部材５４のみが上方に引き上げられ、排水口４３とドレンパイプ保持具５１との間に間隔が形成され、洗浄タンク９内の洗浄水が図８に矢印にて示す如く排水フィルタ５７を介して排水口４３に流出可能となる。そのため、排水フィルタ５７にて洗浄水中の汚物を捕獲することができ、排水口４３の詰まりを抑制することができるようになる。
【００５７】
また、上述した如く排水ポンプフィルタセット４５は、洗浄タンク９の開口９Ｃの近傍に形成された係合爪９Ｄに着脱自在に固定されるので、排水ポンプフィルタセット４５を係合爪９Ｄに固定することにより、容易に排水ポンプフィルタセット４５の位置決めを行うことができる。これにより、取付作業を効率的に行うことができるようになる。
【００５８】
更に、排水ポンプフィルタセット４５は、着脱自在に洗浄タンク９に固定されることから、容易に取り外し、汚れに応じて掃除等のメンテナンスを行うことができるようになる。
【００５９】
また、本実施例では、排水フィルタ５７の下端には、複数の切欠５７Ａが形成されている。そのため、洗浄タンク９内底面の洗浄水をも排水することが可能となる。
【００６０】
次に、図９を参照して制御装置６０について説明する。制御装置６０は汎用のマイクロコンピュータにて構成されており、この制御装置６０の入力側には前記洗浄タンク９内に設けられた温度センサ６１と、ドアスイッチ１８と、電源スイッチ６と、スタートスイッチ１１と、溢れ防止センサ３５が接続されている。また、制御装置６０の出力側には温度表示部１２と、前記洗浄ポンプ２７と、すすぎポンプ２９と、排水ポンプ４２と警報ブザー６２とが接続されている。
【００６１】
以上の構成により、本発明の食器洗浄機ＤＷの動作を説明する。尚、上下すすぎノズル２１、２３（上下洗浄ノズル２０、２２）間の洗浄室２内に皿等の食器から成る図示しない被洗浄物を収納する。また、排水機構を構成する排水調整具５３は下げられた状態とし、ドレンパイプ５０の上面開口は、洗浄タンク９の基準水位と略面一の位置とされているものとする。
【００６２】
制御装置６０は、電源スイッチ６が投入されると、給湯運転を実行する。この給湯運転では、制御装置６０は、図示しない給湯装置からすすぎタンク２５へのすすぎ水の供給を開始する。このとき、給湯装置は、加熱された熱湯（＋８０℃以上）をすすぎタンク２５に供給するため、すすぎタンク２５内には高温のすすぎ水が貯溜されていく。
【００６３】
制御装置６０は、すすぎタンク２５内に所定量のすすぎ水が貯溜されると、すすぎポンプ２９を運転（動作）を開始する。すすぎポンプ２９が運転を開始すると、すすぎタンク２５内の高温（＋８０℃）のすすぎ水はすすぎ配管２８より上下すすぎノズル２１、２３に給送される。給送されたすすぎ水は上すすぎノズル２１のすすぎノズル口２１Ａ・・から下向きに噴射されると共に、下すすぎノズル２３のすすぎノズル口２３Ａ・・から上向きに噴射される。そして、噴射されたすすぎ水は落下してフィルタ１０を通って洗浄タンク９内に回収され、貯溜される。
【００６４】
すすぎポンプ２９の運転によってすすぎタンク２５内のすすぎ水がすすぎ配管２８に給送されて行くと、すすぎタンク２５内の水位は低下するため、制御装置６０は、本実施例では、約１０秒間すすぎポンプ２９の運転を行った後、約４０秒間すすぎポンプ２９を停止する。そして、このすすぎポンプ２９の停止期間中に再び給湯装置からすすぎタンク２５へのすすぎ水の供給を再開する。以後これを繰り返して洗浄タンク９への給湯を行い、数回（例えば１０回程）繰り返された段階で制御装置６０は、洗浄タンク９への給湯運転を終了する。
【００６５】
尚、この状態で、最後の数回（例えば２回程）は、洗浄タンク９に貯溜されたすすぎ水が所定水位を超え、ドレンパイプ５０の上面開口からすすぎ水がすすぎポンプ２７にまで溢出することが考えられることから、制御装置６０は、排水ポンプ４２も運転することとする。また、最後の数回に限らず、前記溢れ防止センサ３５が所定水位を検知した場合には、制御装置６０は、排水ポンプ４２を運転し、洗浄タンク９内に所定水位以上の水が貯溜されることを抑制するものとする。
【００６６】
その後、制御装置６０は、上述した如き給湯運転の終了後に、前記スタートスイッチ１１が操作されたか否かを判断する。スタートスイッチ１１が操作された場合には、洗浄運転を開始する。洗浄運転の洗浄工程においては、制御装置６０は洗浄ポンプ２７を運転して洗浄タンク９に貯溜されている洗浄水を洗浄配管２６より上下洗浄ノズル２０、２２に循環する。循環された洗浄水は上洗浄ノズル２０の洗浄ノズル口２０Ａ・・から下向きに噴射されると共に、下洗浄ノズル２２の洗浄ノズル口２２Ａ・・から上向きに噴射され、被洗浄物に吹き付けられてそれらを洗浄すると共に、一部は上下洗浄ノズル２０、２２の回転推進力となるので、上下洗浄ノズル２０、２２は回転する。噴射された洗浄水は洗浄タンク９内に回収されて再び上下洗浄ノズル２０、２２に循環される。
【００６７】
係る洗浄工程を例えば７０秒間実行すると、制御装置６０は洗浄ポンプ２７を停止して洗浄工程を終了し、所定時間洗浄ポンプ２７及びすすぎポンプ２９の運転を停止する水切り工程を経て、すすぎ工程を開始する。
【００６８】
制御装置６０によりすすぎポンプ２９が運転（動作）を開始すると、前述の給湯運転と同様すすぎタンク２５内の高温（＋８０℃）のすすぎ水をすすぎ配管２８より上下すすぎノズル２１、２３に給送する。給送されたすすぎ水は上すすぎノズル２１のすすぎノズル口２１Ａ・・から下向きに噴射されると共に、下すすぎノズル２３のすすぎノズル口２３Ａ・・から上向きに噴射され、被洗浄物に吹き付けられてそれらのすすぎを行うと共に、一部は上下すすぎノズル２１、２３の回転推進力となるので、上下すすぎノズル２１、２３は回転する。
【００６９】
噴射されたすすぎ水は同様に洗浄タンク９内に回収される。また、このすすぎ水は洗浄水に追加されるかたちとなるため、洗浄タンク９内の洗浄水位は上昇する。そのため、制御装置６０は、当該すすぎ工程を開始してから所定時間経過後に排水ポンプ４２を運転する。これにより、洗浄タンク９内の水位は一定値以下に規制される。
【００７０】
ここで、洗浄タンク９から排水される洗浄水は、上述した如く排水フィルタ５７及びドレンパイプ５０を介して排水口４３より排水される。これにより、洗浄水中の汚物を排水フィルタ５７にて捕獲した後、排水ポンプ４２に送出することができ、排水口４３の詰まり及び排水ポンプ４２の故障を抑制することができるようになる。
【００７１】
すすぎポンプ２９の運転によってすすぎタンク２５内のすすぎ水がすすぎ配管２８に給送されて行くと、すすぎタンク２５内の水位は低下して行く。そのため、すすぎポンプ２９の運転開始から約１０秒が経過すると、制御装置６０は、すすぎポンプ２９の運転を約４０秒間停止する。このすすぎポンプ２９の停止期間中に再び給湯装置からすすぎタンク２５へのすすぎ水の供給を再開する。尚、この場合においても、制御装置６０は、すすぎポンプ２９の運転開始から所定時間経過後、例えば約５秒経過後に、排水ポンプ４２を所定時間運転し、洗浄タンク９内の基準水位を超えた洗浄水を外部に排水した後、停止するものとする。以後これを繰り返して洗浄室２への給湯を行い、数回（例えば１０回程）繰り返された段階で制御装置６０は洗浄運転のすすぎ工程を終了する。
【００７２】
その後、制御装置６０は、警報ブザー６２により、洗浄運転が終了したことを作業者に報知する。洗浄室２内の被洗浄物を取り出すため、一旦扉１６が開放される。これにより、制御装置６０は、ドアスイッチ１８がＯＮからＯＦＦに切り換えられた状態で、洗浄運転待機状態となる。そして、更にスタートスイッチ１１が操作されることにより、新たな被洗浄物の洗浄運転に移行する。
【００７３】
尚、一日の洗浄運転を終了した場合には、洗浄タンク９内の洗浄水を全て排水する。そのため、作業者は、前記排水調整具５３を上方に引き上げた後例えば略９０°回動させ、当該排水調整具５３の角隅部を排水調整具支持部材５５に係止させる。これにより、排水ポンプフィルタセット４５は、上方に引き上げられた状態となり、ドレンパイプ保持具５１と排水口４３との間に間隔が形成される。尚、この動作については、上述した如くコントロールパネル５の側方に貼付されたラベル１３に記載することにより、作業者に容易に正しい排水手順を提示することができるようになる。
【００７４】
その後、電源スイッチ６がＯＦＦとされた状態で、スタートスイッチ１１を操作することにより、制御装置６０は排水ポンプ４２を所定時間例えば約２分間運転し、洗浄タンク９内の洗浄水の排水を強制的に行う。これにより、洗浄タンク９内の洗浄水を全排水することが可能となる。尚、排水フィルタ５７の下端には、上述した如く切欠５７Ａが形成されているため、洗浄タンク９の底面の洗浄水までも排水することができる。
【００７５】
尚、本実施例では、電源スイッチ６のＯＮ／ＯＦＦ状態に応じて、スタートスイッチ１１を操作することにより、洗浄運転と排水運転の両者の開始を兼用することができるため、コントロールパネル５の簡素化を図ることができるようになる。
【００７６】
また、電源スイッチ６がＯＮの状態、ＯＦＦの状態にかかわらず溢れ防止センサ３５が異常水位を検知した際には、制御装置６０は、排水ポンプ４２を運転するものとする。これにより、洗浄タンク９内の洗浄水が外部に溢出することを効果的に防止することができるようになる。これにより、好適に洗浄機ＤＷを使用することができるようになり、使用性が向上する。
【００７７】
【発明の効果】
以上詳述した如く本発明によれば、本体内に構成された洗浄室内において洗浄水を食器などの被洗浄物に噴射して洗浄する洗浄ノズルと、洗浄室内においてすすぎ水を被洗浄物に噴射してすすぎを行うすすぎノズルと、洗浄室内下方にて開口し、洗浄水を貯溜すると共に、洗浄ノズルから噴射された洗浄水及びすすぎノズルから噴射されたすすぎ水を受容する洗浄タンクと、すすぎ水を貯溜するすすぎタンクと、洗浄タンク内の洗浄水を洗浄ノズルに送給する洗浄ポンプと、すすぎタンク内のすすぎ水をすすぎノズルに送給するすすぎポンプと、洗浄タンク内の洗浄水を強制的に排出する排水手段とを備えた洗浄機において、すすぎタンク内と洗浄室内とを連通するエア抜きパイプを備えたので、すすぎタンク内が負圧となることを防止することができ、これにより、すすぎポンプを安定して運転することができるようになる。また、すすぎタンクへの給水を制御する電磁弁等が故障した場合であっても、すすぎタンク内の水を当該エア抜きパイプを介して洗浄室に送給することが可能となる。
【００７８】
請求項２の発明によれば、上記において、エア抜きパイプは、すすぎタンクに設けられた連結部材に着脱自在に接続されるので、すすぎタンク及び洗浄室の構成を簡素化することができると共に、すすぎタンクのメンテナンスを容易に行うことができるようになる。
【００７９】
請求項３の発明によれば、上記各発明において、エア抜きパイプは洗浄室内の壁面に沿って配設されるので、洗浄ノズルが作動している際に、すすぎタンク内に洗浄水が浸入し、すすぎタンク内のすすぎ水を汚染することを回避することができるようになる。
【００８０】
請求項４の発明によれば、本体内に構成された洗浄室内において洗浄水を食器などの被洗浄物に噴射して洗浄する洗浄ノズルと、洗浄室内においてすすぎ水を被洗浄物に噴射してすすぎを行うすすぎノズルと、洗浄室内下方にて開口し、洗浄水を貯溜すると共に、洗浄ノズルから噴射された洗浄水及びすすぎノズルから噴射されたすすぎ水を受容する洗浄タンクと、すすぎ水を貯溜するすすぎタンクと、洗浄タンク内の洗浄水を洗浄ノズルに送給する洗浄ポンプと、すすぎタンク内のすすぎ水をすすぎノズルに送給するすすぎポンプと、洗浄タンク内の洗浄水を強制的に排出する排水手段とを備えた洗浄機において、洗浄タンク内の洗浄水の溢出を防止するための溢れ防止センサを備えたので、洗浄タンク内の洗浄水が外部に溢出することを効果的に防止することができるようになる。これにより、好適に洗浄機を使用することができるようになり、使用性が向上する。
【００８１】
請求項５の発明によれば、上記において、溢れ防止センサは本体外面に設けられ、連結パイプを介して洗浄タンクの背面に連通されると共に、当該溢れ防止センサを被覆する開閉可能なセンサカバー部材を備えたので、溢れ防止センサが剥き出しとなる不都合を回避でき、特に、設置時における当該センサの配線の損傷を抑制することができるようになる。
【００８２】
また、センサカバー部材は、開閉可能に設けられているため、容易に溢れ防止センサのメンテナンスを行うことができるようになる。
【００８３】
請求項６の発明によれば、上記において、連結パイプは、洗浄タンクの基準水位よりも高い位置にて開口するので、洗浄水が基準水位である場合に、連結パイプ内に洗浄水が浸入しないため、溢れ防止センサに洗浄水が浸入しないこととなる。そのため、当該洗浄水による汚れの堆積を緩和することができ、溢れ防止センサが早期に故障することを未然に回避することができるようになる。
【００８４】
請求項７の発明によれば、請求項４、請求項５又は請求項６の発明において、連結パイプの洗浄タンク側の開口を覆う連結パイプカバー部材を備えたので、連結パイプ内に洗浄水内の汚物等が侵入することを抑制することができ、より一層、溢れ防止センサの故障を抑制することができると共に、正常に機能させることができるようになる。
【００８５】
請求項８の発明によれば、本体内に構成された洗浄室内において洗浄水を食器などの被洗浄物に噴射して洗浄する洗浄ノズルと、洗浄室内においてすすぎ水を被洗浄物に噴射してすすぎを行うすすぎノズルと、洗浄室内下方にて開口し、洗浄水を貯溜すると共に、洗浄ノズルから噴射された洗浄水及びすすぎノズルから噴射されたすすぎ水を受容する洗浄タンクと、すすぎ水を貯溜するすすぎタンクと、洗浄タンク内の洗浄水を洗浄ノズルに送給する洗浄ポンプと、すすぎタンク内のすすぎ水をすすぎノズルに送給するすすぎポンプと、洗浄タンク内の洗浄水を強制的に排出する排水手段とを備えた洗浄機において、排水手段は、洗浄タンク底面の排水口に連通した排水ポンプと、排水口を塞ぐように着脱自在に立設され、上下に開口したドレンパイプと、洗浄タンク底面に載置され、ドレンパイプ周囲を囲繞する排水フィルタとを備え、ドレンパイプと排水フィルタは一体化されて排水ポンプフィルタセットを構成するため、当該排水ポンプフィルタセットを洗浄タンクの排水口に設置することで、容易にドレンパイプと排水フィルタを取り付けることができるようになる。
【００８６】
また、排水ポンプフィルタセットは、ドレンパイプが排水フィルタに対して上下移動可能とされると共に、上方に移動した状態で、ドレンパイプと排水口間に間隔を形成するので、容易に洗浄タンク内の全ての洗浄水を容易に排水することができるようになる。このとき、ドレンパイプと排水口との間には、排水フィルタが設けられているため、洗浄水中の汚物を排水フィルタにて捕獲することができ、排水口の詰まりを抑制することができるようになる。
【００８７】
請求項９の発明によれば、上記において、排水ポンプフィルタセットは、洗浄タンクの上縁に形成された係合爪に着脱自在に固定されるので、排水ポンプフィルタセットを係合爪に固定することにより、容易に当該排水ポンプフィルタセットの位置決めを行うことができる。これにより、取付作業を効率的に行うことができるようになる。
【００８８】
また、排水ポンプフィルタセットは、着脱自在に固定されることから、容易に取り外し、汚れに応じて掃除等のメンテナンスを行うことができるようになる。
【００８９】
請求項１０の発明によれば、請求項８又は請求項９の発明において、排水フィルタの下端には、切欠が形成されるので、洗浄タンク内底面の洗浄水をも排水することができるようになる。
【００９０】
請求項１１の発明によれば、上記各発明において、排水手段は、外部に引き出される排水ホースを備え、当該排水ホースは、本体を構成するアングル部材に固定具にて固定されるので、排水時における排水ホースの上下動を規制することができ、排水ポンプにより安定して洗浄タンク内の洗浄水の排水を実行することができるようになる。
【図面の簡単な説明】
【図１】本発明の食器洗浄機の正面図である。
【図２】食器洗浄機の一部透視側面図である。
【図３】食器洗浄機の縦断側面図である。
【図４】食器洗浄機の平面図である。
【図５】センサカバー部材の斜視図である。
【図６】排水ポンプフィルタセットを洗浄タンクに取り付けた状態の断面図である。
【図７】排水ポンプフィルタセットを洗浄タンクから脱着する状態の断面図である。
【図８】全排水時における排水ポンプフィルタセットの断面図である。
【図９】制御装置の電気ブロック図である。
【符号の説明】
ＤＷ  食器洗浄機
１  本体
２  洗浄室
５  コントロールパネル
６  電源スイッチ
９  洗浄タンク
９Ａ  上面
９Ｂ  底面
１０  フィルタ
１１  スタートスイッチ
１８  ドアスイッチ
２０、２２  洗浄ノズル
２０Ａ、２２Ａ  洗浄ノズル口
２１、２３  すすぎノズル
２１Ａ、２３Ａ  すすぎノズル口
２５  すすぎタンク
２６  洗浄配管
２７  洗浄ポンプ
２８  すすぎ配管
２９  すすぎポンプ
３０  エア抜きパイプ
３２  連結部材
３５  溢れ防止センサ
３６  連結パイプ
３８  連結パイプカバー部材
３９  センサカバー部材
４２  排水ポンプ
４３  排水口
４４  排水接続部
４５  排水ポンプフィルタセット
５０  ドレンパイプ
５１  ドレンパイプ保持具
５２  ドレン取付板
５３  排水調整具
５４  係合部材
５５  排水調整具支持部材
５７  排水フィルタ
６０  制御装置
【図１】
2004298346.tif 000003
【図２】
2004298346.tif 000004
【図３】
2004298346.tif 000005
【図４】
2004298346.tif 000006
【図５】
2004298346.tif 000007
【図６】
2004298346.tif 000008
【図７】
2004298346.tif 000009
【図８】
2004298346.tif 000010
【図９】
2004298346.tif 000011